(57)【特許請求の範囲】
【請求項１】
水流を入口部からフラップ室に導入して出口部から導出する下側ケースと、下側ケース内の水流を受けて磁石とともに揺動するフラップ板を前記フラップ室に揺動可能に垂下するように取り付けた上側ケースと、を組み付けて構成された水流スイッチ装置において、
前記フラップ板が軸回りを揺動自在に支持する軸と、上側ケースと下側ケースとをシールするＯーリングとを備え、前記下側ケースには、フラップ室にフラップ板が挿入される開口が形成されており、この開口周囲に対応する上側ケースの部位に、Ｏーリングを圧入する環状の溝が形成されており、前記軸はこの環状の溝を横断して配置しており、軸の両側部が溝に圧入されたＯーリングにより保持されていることを特徴とする水流スイッチ装置。
【請求項２】
前記上側ケースに前記フラップ板の軸を受ける軸受を複数形成し、少なくとも一つの軸受の中心線の位置を他の軸受の中心線の位置と異ならせたことを特徴とする請求項１に記載の水流スイッチ装置。
【請求項３】
上側ケースの内側に軸を介して揺動自在に取り付けたフラップ板を垂下した状態で、下側ケースの上部開口からフラップ室に挿入して、その上部開口の周囲と上側ケースに形成された環状の嵌合溝とをＯーリングによりシールする水流スイッチの製造方法において、
前記上側ケースの内側を上に向けて配置し、前記環状の嵌合溝の径よりも長い軸をフラップ板に取付け、その軸の両端部に重なるように前記Ｏーリングを上側ケースの嵌合溝に圧入し、次に、上側ケースの内側を下に向けて垂下したフラップ板を下側ケースの上部開口からフラップ室に挿入した後、上側ケースと下側ケースとを組み付け固定することを特徴とする水流スイッチの製造方法。
【発明の詳細な説明】
【０００１】
【発明の属する技術分野】
本発明は、給湯器、給湯器付き風呂等に使用される水流スイッチ装置に関し、特に、通水路の流水をリードスイッチにより検知して給湯機器を作動させる水流スイッチ装置及びその製造方法に関する。
【０００２】
【従来の技術】
一般に、風呂の給湯器等には、その通水路に水流検知器を設けており、水流を検知した後、給湯機器を作動させるようになっている。かかる水流スイッチは、実開昭６３ー３５２３２号公報に開示されているように、水流を受けて揺動するフラップを備えており、このフラップに磁石が固定してあり、フラップが揺動してケーシングに装着されたリードスイッチに磁石が近づくとその磁力を受けてリードスイッチが接続され（閉状態）、磁石が遠ざかるとスイッチが切れる（開状態）ものである。
【０００３】
かかる水流スイッチ装置は、下側ケースと上側ケースとを組み付けて構成されており、下側ケースには、水流の入口部と出口部との他、揺動可能なフラップ板が上部開口から挿入されるフラップ室が形成されている。上側ケースには、磁石を固定したフラップ板を揺動可能に取付けている。
【０００４】
この水流スイッチを製造する際には、上側ケースの上面を下にしてその内側を上にして載置し、上側ケースの内側にフラップ板の軸を固定し、その状態で、上側ケースをひっくり返して上側ケースの内側を下にして、フラップ板を垂下した状態で、下側ケースの上部開口にフラップ板を挿入して、下側ケースと上側ケースとを組み付けている。更に、上側ケースと下側ケースとの間をシールするために、上部開口とこれに嵌合する上側ケースの嵌合部との間にはＯーリングを介在している。
【０００５】
【発明が解決しようとする課題】
しかし、上側ケースに取り付けたフラップ板を垂下させて下側ケースのフラップ室に挿入する際に、フラップ板が落ちないように、その軸受を別に設けてこれをスポット溶接により固定したり、軸受の先端部をかしめて軸を保持したり、あるいは軸を固定するために専用のビスを別途用いて固定していた。
【０００６】
このため、部品点数の増加や製造工程数の増加、又は構成が複雑になるという問題点があった。
【０００７】
本発明の目的は、簡易な構成であり、部品点数を削減できると共に製造工数の少ない水流スイッチ装置及びその製造方法を提供することにある。
【０００８】
【課題を解決するための手段】
請求項１に記載の発明は、水流を入口部からフラップ室に導入して出口部から導出する下側ケースと、下側ケース内の水流を受けて磁石とともに揺動するフラップ板を前記フラップ室に揺動可能に垂下するように取り付けた上側ケースと、を組み付けて構成された水流スイッチ装置において、前記フラップ板が軸回りを揺動自在に支持する軸と、上側ケースと下側ケースとをシールするＯーリングとを備え、前記下側ケースには、フラップ室にフラップ板が挿入される開口が形成されており、この開口周囲に対応する上側ケースの部位に、Ｏーリングを圧入する環状の溝が形成されており、前記軸はこの環状の溝を横断して配置しており、軸の両側部が溝に圧入されたＯーリングにより保持されていることを特徴とするものである。この請求項１に記載の発明によれば、上側ケースから垂下するフラップ板を、上側ケースと下側ケースとをシールするＯーリングを利用して保持する構成であるから、別途フラップ板の軸を固定するビス等の部材を必要とせず、また、かしめや溶接等の工程も必要無いので、部品点数の削減ができ、且つ組み立て工数を少なくすることができる。即ち、水流スイッチ装置の組み立て時に、上側ケースの内側にフラップ板を垂下させた状態で、下側ケースに組み付けができる。
【０００９】
また、上側ケースには、Ｏーリングを圧入する環状の溝を形成しているので、軸の寸法をこの環状の溝を横断する寸法にするだけで、容易にフラップ板の取り付けができる。
【００１０】
請求項２に記載の発明は、請求項１に記載の発明において、前記上側ケースに前記フラップ板の軸を受ける軸受を複数形成し、少なくとも一つの軸受の中心線の位置を他の軸受の中心線の位置と異ならせたことを特徴とするものである。この請求項２に記載の発明によれば、軸を各軸受に挿入した際に、各軸受の中心位置がずれているので、軸が軸受に圧接されて軸受の溝に保持される。従って、軸を軸受に圧入するだけで、フラップ板を上側ケースから垂下した状態で、簡単に保持することができる。また、請求項１に記載の発明と同様にビス等の部材を必要とせず、また、かしめや溶接等の工程も必要無いので、部品点数の削減ができ、且つ組み立て工数を少なくすることができる。
【００１１】
請求項３に記載の発明は、上側ケースの内側に軸を介して揺動自在に取り付けたフラップ板を垂下した状態で、下側ケースの上部開口からフラップ室に挿入して、その上部開口の周囲と上側ケースに形成された環状の嵌合溝とをＯーリングによりシールする水流スイッチの製造方法において、前記上側ケースの内側を上に向けて配置し、前記環状の嵌合溝の径よりも長い軸をフラップ板に取り付け、その軸の両端部に重なるように前記Ｏーリングを上側ケースの嵌合溝に圧入し、次に、上側ケースの内側を下に向けて垂下したフラップ板を下側ケースの上部開口からフラップ室に挿入した後、上側ケースと下側ケースとを組み付け固定することを特徴とするものである。この請求項３に記載の発明によれば、上述の請求項１に記載の発明を用いた製造方法であり、請求項１に記載の発明と同様に、上側ケースから垂下するフラップ板の軸をＯーリングを利用して保持する構成であるから、部品点数の削減ができ、且つ工数を少なくすることができると共に、フラップ板を垂下させたまま上側ケースと下側ケースとを組み付け固定できるので、水流スイッチ装置の組み立てが容易にできる。
【００１２】
【発明の実施の形態】
以下に、添付図面の図１乃至図６を参照して、本発明の第１実施の形態を詳細に説明する。
【００１３】
本実施の形態にかかる水流スイッチ１は、風呂から燃焼器に通じる通水路に設けられており、その通水路における流水を検知して、燃焼器を作動させるものである。
【００１４】
この水流スイッチ１は、図１及び図２に示すように、水流が導入なされる入口部３と、導出入する出口部５と、フラップ室１３とが形成された下側ケース（ハーフケース）７と、フラップ板１１をフラップ室１３に垂下させた上側ケース（ハーフケース）９とを備えており、下側ケース７と上側ケース９とは、組み付け用ねじ１０ａ、１０ｂ、１０ｃ、１０ｄを締めつけて一体に固定している。フラップ室１３は、ここに挿入されたフラップ板１１（後述する）が揺動する空間を形成している。
【００１５】
下側ケース７には、その上部に上側ケース９を重ね合わせて組み付けるためのフランジ部１５が設けられており、図５に示すように、このフランジ部１５の四隅に、組み付け用ねじ１０ａ、１０ｂ、１０ｃ、１０ｄに螺合するねじ孔１２ａ、１２ｂ、１２ｃ、１２ｄが形成されている。尚、下側ケース７の底部には、フラップ室１３にサーミスタが挿入されており、通水路に流れる水の温度を検知している。
【００１６】
フランジ部１５には、その上部開口１８の周縁において上方に突出したシール片１９が形成されている。このシール片１９には、上側ケース９が組み付けられた際に、Ｏーリング２１が圧接してシール構造２０を形成するものである。このシール片１９は、その外周面が基端から先端にかけて外側から内側に向けて傾斜されており、その外周面にＯリング２１が嵌められるようになっている。このシール片１９は、後述する上側ケース９に形成された溝５１（後述する）との間にＯーリング２１を圧接するようになっている。
【００１７】
上側ケース９は、図２に示すように、その上部四隅に、組み付け用ねじ１０ａ、１０ｂ、１０ｃ、１０ｄを通すねじ孔２５ａ、２５ｂ、２５ｃ、２５ｄが形成されており、それぞれ下側ケース７のねじ孔１２ａ、１２ｂ、１２ｃ、１２ｄに一致させて、組み付け用ねじ１０ａ、１０ｂ、１０ｃ、１０ｄにより螺合される。
【００１８】
また、上側ケース９の上面には、リードスイッチ２７を嵌める嵌合凹部２９が形成されており、リードスイッチ２７がケースから突出しないようになっている。ここに装着されるリードスイッチ２７は、その本体３１に、磁力により接触して回路を閉じる一対の端子が封入されたガラス管を備えており、このガラス管を樹脂で埋め込んで形成されている。本体３１からは、取付片３３が延出されており、この取付片３３には、市販のものであるため固定用のねじ孔Ｆ、Ｆが形成されているが、このねじ孔Ｆ、Ｆは本実施の形態では使用しない。即ち、本実施の形態では、取付片３３の角部を、上述した組み付け用ねじ１０ａ、１０ｂの頭部３５、３７で上側ケース９に圧接固定している。一方、嵌合凹部２９の底面には、上側ケース９のねじ孔２５ａ、２５ｂに近接した位置に一対の受台３９、４１が形成されている。この受台３９、４１に上述の取付片３３の角部がそれぞれ載置されるようになっている。即ち、図３に示すように、取付片３３の一部のみを受台３９、４１とねじの頭部３５、３７で挟持して固定するものであるから、確実に固定できると共に、本体３１には、無理な力がかからず、リードスイッチ２７の損傷を防止できる。特に、リードスイッチ２７が変形等している場合であってもその変形を許容でき、損傷を与えること無く確実に取り付けることができる。
【００１９】
上側ケース９の内側には、図５に示すように、フラップ板１１が軸４５の軸回りを揺動自在に垂下されている。このフラップ板１１には、磁石４３が固定されており、水流によりフラップ板１１が揺動して上に上がると、上述したリードスイッチ２７に近づくようになっている。このフラップ板１１は、図４に示すように、上端部が軸４５により軸支されており、この軸の両端部が、上側ケース９に形成された軸受４７ａに載置されている。軸４５の中央部を載置する軸受４７ｂも形成されており、軸４５は合計４ヵ所で軸支されている。尚、図４は、図５に示す上側ケース９の上下を逆さにしている状態を示している。
【００２０】
この軸４５は、Ｏーリング２１により軸受４７ａ、４７ｂに保持されており、このＯーリング２１は、上側ケース９の溝５１に嵌め込まれている。従って、組み付け時には、図４に示すように、上側ケース９をその内側（下側）を上に向けて軸４５を軸受４７ａ、４７ｂに載置した後、Ｏーリング２１を溝５１に圧入することにより容易に取り付けできると共に、Ｏーリング２１の保持力によりフラップ板１１を下に向けても上側ケース９からフラップ板が落ちない構成になっている。更に、上側ケース９には、フラップ板１１を斜めから挿入するように軸４５を軸受４７ａ、４７ｂに案内する案内面５３を形成し、組み付け時には軸４５を容易に軸受４７ａ、４７ｂに配置できる構成となっている。
【００２１】
次に、図６を参照して、Ｏーリング２１によるシール構造について説明する。
【００２２】
Ｏリング２１は、下側ケース７と上側ケース９との組み付け時に、上述したシール片１９の傾斜された外面１９ａと、上側ケース９の断面Ｌ字形状を形成する周壁５５と底壁５９との３点Ｓ、Ｔ、Ｙで圧接する構成となっている。このようにＯーリング２１は３点Ｓ、Ｔ、Ｙで圧接しているので、確実なシールを図ることができる。しかも、傾斜された外面１９ａは、組み付け用ねじ１０ａの締めつけ方向Ｗに対して斜めに傾斜しているから、組み付け用ねじ１０ａを締めつければ締めつける程、上側ケース９に対して下側ケース７の心出しができ、特に、上側ケース９と下側ケース７との形成されたねじ孔２５ａ、２５ｂ、２５ｃ、２５ｄ、１２ａ、１２ｂ、１２ｃ、１２ｄにおいては、それらのねじ孔の芯出し（中心が一致する）ができるので、各ねじ孔やねじをラフに製造することができる。更に、上ケース９のねじ孔を大きくできるので、ねじ止めが容易にでき、作業性が良い。
【００２３】
次に、本実施の形態にかかる水流スイッチの組み立て方法について説明する。まず、図４に示すように、上側ケース９をその上面を下にして、内側を上にし、フラップ板１１を取り付ける。この場合、軸４５を案内面５３に沿って斜めから挿入することによって、軸４５を軸受４７ａ、４７ｂに容易に嵌め込むことができる。この場合、案内面５３の延長面上に軸受４７ａ、４７ｂが設けられているので、軸４５を案内面５３に沿って滑られば、そのまま軸４５を軸受４７ａ、４７ｂに嵌め込むことができる。そして、軸受４７ａ、４７ｂに軸４５を配置した後、Ｏーリング２１を溝５１に圧入して、軸４５の上に取り付ける。これにより、軸４５はＯーリング２１により支えられるので、上側ケース９をひっくり返して、フラップ板１１を下にしても、Ｏーリング２１によりフラップ板１１は保持されて、下落ちることが無い。
【００２４】
即ち、図５に示すように、フラップ板１１を下に向けて、上側ケース９を下側ケース７に被せ、Ｏーリングを介在して、フラップ板１１を下側ケース７の上部開口１８を介してフラップ室１３に上から挿入する。
【００２５】
次に、図２に示すように、上側ケース９の上面において、嵌合凹部２９にリードスイッチ２９を設置し、組み付け用ねじ１０ａ、１０ｂ、１０ｃ、１０ｄをねじ孔２５ａ、２５ｂ、２５ｃ、２５ｄに挿通し、下側ケース７のねじ孔１２ａ、１２ｂ、１２ｃ、１２ｄに螺合して下側ケース７に上側ケース９を固定する。この際に、上述したＯーリング２１によるシール構造によりねじ孔を大きくできるので、ねじによる組み付け作業が容易である。
【００２６】
同時に、リードスイッチ２７は、その取付片の角部を組み付け用ねじ１０ａ、１０ｂの頭部３５、３７により上側ケース９の受台３９、４１に圧接して固定される。
【００２７】
一方、組み付け用ねじ１０ａ、１０ｂ、１０ｃ、１０ｄを締めつけると、図６に示すように、Ｏーリング２１は、シール片１９の傾斜された外面１９ａに配置されて、締めつけられると、外面１９ａと周壁５５と底壁５９との３点Ｓ、Ｔ、Ｙで圧接され、確実なシールを図る。また、傾斜された外面１９ａは、組み付け用ねじ１０ａの締めつけ方向に対して傾斜しているから、組み付け用ねじ１０ａを締めつければ締めつける程、ねじ孔の芯出しができ、ねじによる組み付けが容易である。
【００２８】
以上説明したように、本実施の形態によれば、フラップ板を上側ケースに簡易な構成で且つ容易に固定でき、しかもフラップ板を垂下させた状態で、上側ケースを下側ケースに容易に固定でき、作業性がよい。しかも部品点数の削減と、組み付け工程を簡易にできる。
【００２９】
次に、本発明の第２実施の形態を図７を参照して説明する。この第２実施の形態の説明では、上述した第１実施の形態と異なるところを説明すると共に、図７においては、上述した実施の形態と同一部分には同一の符号を付することによって、その部分の詳細な説明を省略する。
【００３０】
この第２実施の形態では、外側に位置する一対の軸受４７ａ、４７ａの中心線６１と、これらの軸受４７ａ、４７ａの内側に位置する一対の軸受４７ｂ、４７ｂの中心線６３とを異ならせている。このように、軸受の中心線をずらすことによって、軸受に共通して嵌入される軸４５が、その側面における両側から軸受に圧せられて保持される。従って、この状態で、上側ケース９を逆さにしてフラップ板１１を垂下させてもフラップ板１１を十分に保持でき、そのまま下側ケース７に装着することができる。
【００３１】
この第２実施の形態では、Ｏーリング２１を利用すること無く、軸４５を軸受４７ａ、４７ｂに圧入するだけで容易に保持することができ、そのままフラップ板１１を垂下できるので、水流スイッチ１の組み立てが容易にできる。
【００３２】
本発明は上述した実施例に限定されず、本発明の要旨を逸脱しない範囲で種々変形可能である。例えば、第２実施の形態では、内側に位置する一対の軸受４７ａ、４７ｂの中心線６３の位置をずらしたが、これに限らず、一つの軸受４７ａのみの中心線６３の位置をずらすものであっても、同様な効果を得ることができる。
【００３３】
【発明の効果】
請求項１に記載の発明によれば、上側ケースから垂下するフラップ板を、上側ケースと下側ケースとをシールするＯーリングを利用して保持する構成であるから、軸固定のための部材を別途必要とせず、部品点数の削減ができ、且つ組み立て工数を少なくすることができる。
【００３４】
また、フラップ板の軸をＯーリング用の環状溝を横断して配置するだけで、容易にフラップ板の取り付けができる。
【００３５】
請求項２に記載の発明によれば、フラップ板の軸を受ける軸受の中心線の位置を異ならせるだけで、軸を保持できるので、部品点数の削減ができ、且つ組み立て工数を少なくすることができる。
【００３６】
請求項３に記載の発明によれば、上述の請求項１に記載の発明を用いた製造方法であり、部品点数の削減ができ、且つ組み立て工数を少なくすることができると共に、組み立てが容易にできる。
【００３７】
【図面の簡単な説明】
【図１】本発明の第１実施の形態にかかる水流スイッチ装置の断面図である。
【図２】リードスイッチの組み付け構造を示す斜視図である。
【図３】図１に示す水流スイッチ装置の平面図である。
【図４】上側ケースにおけるフラップ板の取り付け構造を示す分解斜視図である。
【図５】上側ケースと下側ケースとの組み付け構造を示す分解斜視図である。
【図６】Ｏーリングによりシール構造を示す断面図である。
【図７】本発明の第２実施の形態にかかる上側ケースの内側を示す平面図である。
【符号の説明】
１ 水流スイッチ
７ 下側ケース
９ 上側ケース
１１ フラップ板
２１ Ｏーリング
３３ 取付片
４５ 軸
４７ａ 軸受
４７ｂ 軸受
６１ 中心線
６３ 中心線
【図１】
0003901272.tif 000002
【図２】
0003901272.tif 000003
【図３】
0003901272.tif 000004
【図４】
0003901272.tif 000005
【図５】
0003901272.tif 000006
【図６】
0003901272.tif 000007
【図７】
0003901272.tif 000008